(57)【要約】【課題】スペース効率が良く、且つ構造強度が強いライトガイド等を提供する。【解決手段】ライトガイド１０５は、光源１０９からの光が入射する入射部１０５ａと、入射された光を外部に出射する出射部１０５ｂと、入射部１０５ａと出射部１０５ｂとを繋ぐ光路部１０５ｄと、光路部１０５ｄを補強するための補強部１０５ｅとが一体的に形成され、補強部１０５ｅは光路部１０５ｄに対して、光軸方向に略平行に所定量だけ離間して配置される。【選択図】図６
2015118778.tif 000002
【特許請求の範囲】
【請求項１】
光を照射する光源と、前記光源から照射された光を導光するライトガイドとを含んでなるライトガイド装置であって、
前記ライトガイドは、前記光源からの光が入射する入射部と、入射された光を外部に出射する出射部と、前記入射部と前記出射部とを繋ぐ光路部と、この光路部を補強するための補強部とが一体的に形成され、
前記補強部は前記光路部に対して、光軸方向に略平行に所定量だけ離間して配置されることを特徴とする構成とするライトガイド装置。
【請求項２】
前記光路部は、前記光源と前記出射部を結ぶ延長線上に配置されることを特徴とする請求項１に記載のライトガイド装置。
【請求項３】
所定方向での前記光路部の投影形状が、前記補強部の形状と略同一に重なることを特徴とする請求項１又は２に記載のライトガイド装置。
【請求項４】
前記入射部は前記光源を搭載する基板に対して、前記光軸方向と直交方向に張り出すように形成されたことを特徴とする請求項１〜３のいずれかに記載のライトガイド装置。
【請求項５】
請求項１〜４のいずれかに記載のライトガイド装置を備えた光学機器であって、
前記光源から照射された光を、前記ライトガイドを介して機器外部に導光し、その光を視認可能とすることを特徴とするライトガイド装置を備えた光学機器。
【発明の詳細な説明】
【技術分野】
【０００１】
本発明は、光源からの光を案内して発光させるライトガイド装置及びこのライトガイド装置を備える光学機器に関する。
【背景技術】
【０００２】
ビデオカメラやデジタルスチルカメラ等の光学機器は、撮影画像を記録する取出し可能な記録媒体の有無検出を視認させるようにしている。また、視認させるための指標をライトガイドにて形成し、記録媒体の検出状態を光源の点滅によって視認させている。
【０００３】
特許文献１には、このような光源からの光を案内して発光させるライトガイドが開示されている。特許文献１によって示された従来技術は、ライトガイドが本体導光部と分岐導光部を備える。分岐導光部は第１導光部と第２導光部を有し、第１導光部から出射された第１の光束は照射対向物に直接向かい、第２導光部から出射された第２の光束は反射部を介して照射対象物に向かい第１の光束と交わる。かかる構成により光の照射対象物に対して均一に光を照射できるものである。
【先行技術文献】
【特許文献】
【０００４】
【特許文献１】特開２０１２−２２０８２１号公報
【発明の概要】
【発明が解決しようとする課題】
【０００５】
しかしながら、特許文献１によって示された従来の技術では、第２導光部から出射された第２の光束は反射部を介して照射されるため、反射部を設置するためのスペースが必要になる。また、相互に離間する２つの第２導光部と反射部とを結ぶ光路上には他の部材あるいは部品等を配設することができず、部材のレイアウト上、スペース効率が良くない等の問題がある。
【０００６】
本発明はかかる実情に鑑み、スペース効率が良く、且つ構造強度が強いライトガイド装置及びこれを備えた光学機器を提供することを目的とする。
【課題を解決するための手段】
【０００７】
本発明のライトガイド装置は、光を照射する光源と、前記光源から照射された光を導光するライトガイドとを含んでなるライトガイド装置であって、前記ライトガイドは、前記光源からの光が入射する入射部と、入射された光を外部に出射する出射部と、前記入射部と前記出射部とを繋ぐ光路部と、この光路部を補強するための補強部とが一体的に形成され、前記補強部は前記光路部に対して、光軸方向に略平行に所定量だけ離間して配置されることを特徴とする構成とする。
【０００８】
また、本発明のライトガイド装置において、前記光路部は、前記光源と前記出射部を結ぶ延長線上に配置されることを特徴とする。
【０００９】
また、本発明のライトガイド装置において、所定方向での前記光路部の投影形状が、前記補強部の形状と略同一に重なることを特徴とする。
【００１０】
また、本発明のライトガイド装置において、前記入射部は前記光源を搭載する基板に対して、前記光軸方向と直交方向に張り出すように形成されたことを特徴とする。
【００１１】
また、本発明の光学機器は、上記いずれかのライトガイド装置を備えた光学機器であって、前記光源から照射された光を、前記ライトガイドを介して機器外部に導光し、その光を視認可能とすることを特徴とする。
【発明の効果】
【００１２】
本発明によれば、ライトガイドの複数の構成部位を一体に形成して、ライトガイド装置のコンパクト化を図る。これにより装置のレイアウトに必要なスペースを効果的に減らし、スペース効率を向上することができる。また、光路部との関係で補強部を好適に設けることで、発光効率を向上しつつ構造強度が強いライトガイド装置を提供することが可能となる。
【図面の簡単な説明】
【００１３】
【図１】本発明の実施形態に係るビデオカメラを示す斜視図である。
【図２】本発明の実施形態におけるライトガイド周辺の構成要素を示す斜視図である。
【図３】本発明の実施形態におけるライトガイドのサイドカバーへの組み込み作業を説明するためのそれぞれ斜視図である。
【図４】本発明の実施形態におけるサイドカバーのメイン板金への組み込み作業を説明するためのそれぞれ斜視図である。
【図５】本発明の実施形態におけるライトガイドと光源が位置決めされた時の状態を示す斜視図である。
【図６】本発明の実施形態におけるライトガイドの斜視図である。
【図７】本発明の実施形態におけるライトガイドの側面図である。
【図８】本発明の実施形態におけるライトガイドの上面図である。
【発明を実施するための形態】
【００１４】
以下、本発明の好ましい実施の形態について図面を参照しながら説明する。
本発明の実施形態においては、光学機器の一例としてビデオカメラを用いて説明する。図１は本発明の実施の形態に係るビデオカメラ１００の斜視図である。先ず図１を用いてビデオカメラ１００の主要な構成を説明する。図１に示すようにビデオカメラ１００には、トリガーボタン１０１、コネクタカバー１０２、サイドカバー１０３、操作ボタン１０４、ライトガイド１０５、表示部１０６及びカードカバー１０７等を有している。
【００１５】
次に、ビデオカメラ１００の各構成要素について説明する。
トリガーボタン１０１は、使用者が動画撮影を行うためのボタンである。
コネクタカバー１０２は、屈曲変位可能な可撓性を有する適宜の弾性部材で形成されており、コネクタカバー１０２内に配置された図示しないコネクタを埃や水滴から保護するためのカバーである。図示しないコネクタは、例えばＵＳＢコネクタやＨＤＭＩ（登録商標）コネクタ、電源コネクタ等のビデオカメラ１００の外部と信号の入出力や電力供給に用いるものである。
サイドカバー１０３は、ビデオカメラ１００の外観を形成する、一定面幅を持つ略Ｌ字形状の面で構成され、その面にコネクタカバー１０２、操作ボタン１０４及びライトガイド１０５が設けられている。
操作ボタン１０４は、使用者からの入力を受け付け、再生モードへ移行するためのボタンである。
【００１６】
ここで、ビデオカメラ１００に備えるライトガイド装置において、ライトガイド１０５は、乳白色の樹脂部材もしくは無色透明の部材からなる。後述する光源から照射された光をビデオカメラ１００の外部に導光し、使用者が機器外部からその光を視認可能にするものである。使用者は、ライトガイド１０５の発光を視認することで、後述する取出し可能な記録媒体の検出や、無線ＬＡＮがビデオカメラにアクセスしたことを確認することができる。
【００１７】
表示部１０６は、撮像した画像や撮影中の画像を表示するためのものであり、図示しないヒンジ機構によって、ビデオカメラ１００に連結され、開閉可能になっている。
カードカバー１０７は、カードカバー内部に収納されている図示しない記録媒体やバッテリーを埃や水滴から保護するためのカバーである。この記録媒体は、撮影画像を記録するもので、ＳＤカード等の取出し可能なカードタイプである。
【００１８】
次に、ライトガイド１０５周辺の構成要素について、図２を用いて説明する。図２に示すように、ライトガイド１０５周辺の構成要素としてサイドカバー１０３、ライトガイド１０５、メイン基板１０８、光源１０９及びメイン板金１１０等を有する。光源１０９はＬＥＤやランプ等で構成され、メイン基板１０８上には光源１０９を始めとする複数の電子デバイス等が搭載され、実装されている。なお、詳細図示等を省略するが、カードカバー１０７内部の収納部に記録媒体の有無を検知するセンサが設けられ、そのセンサの検出信号が制御部に送出される。制御部はこの検出信号に基づき、駆動回路を介して光源１０９を駆動し、そのＬＥＤ等を発光させる。そして、光源１０９から照射された光は、ライトガイド１０５の後述する入射部１０５ａへ入射する。
【００１９】
次に、ライトガイド１０５と光源１０９が位置決めされるまでの組込み手順について説明する。図３（ａ），（ｂ）は、ライトガイド１０５のサイドカバー１０３への組込み前後の状態をそれぞれ示している。ライトガイド１０５は図３（ａ）に示すように、サイドカバー１０３に設けられたライトガイド室１０３ａに対して、後述の出射部１０５ｂ側から矢印Ａの方向に組み込まれる。ライトガイド室１０３ａはライトガイド１０５の組込みの際、ライトガイド１０５の適所をガタつきなくガイドしながら収容するように構成され、ライトガイド１０５をぴったりと嵌め込むことができる。詳細図示を省略するが、ライトガイド１０５の突当て面が接着固定されることでサイドカバー１０３と一体化される。
【００２０】
図４（ａ），（ｂ）は、ライトガイド１０５のメイン基板１０８への組込み前後の状態をそれぞれ示している。サイドカバー１０３と一体化されたライトガイド１０５は図４（ａ）に示すように、矢印Ｂの方向に組み込まれる。なお、詳細図示を省略するが、サイドカバー１０３及びメイン基板１０８にはそれぞれ相互の係合部が設けられており、両者をガタつきなく結合することができる。この場合、サイドカバー１０３が、メイン基板１０８と一体化されたメイン板金１１０と更に一体化することで、ライトガイド１０５と光源１０９の位置が決まる。即ち、両者は対向し合うように配置される。
図５は、ライトガイド１０５の後述する入射部１０５ａと光源１０９が位置決めされた状態の斜視図を示す。
【００２１】
次に、本実施形態に関わるライトガイド１０５の詳細について説明する。図６にライトガイド１０５の斜視図を示す。図６に示すようにライトガイド１０５は、光源１０９から照射された光を入射する入射面を有する入射部１０５ａと、入射された光を外部に出射する出射部１０５ｂを有する。ライトガイド１０５は更に、出射部１０５ｂの一部である出射窓１０５ｃを有し、この出射窓１０５ｃは、サイドカバー１０３と一体化した時に外観から見える部分である。ライトガイド１０５は更に、入射部１０５ａと出射部１０５ｂを繋ぐ光路部１０５ｄと、この光路部１０５ｄに対して、その光軸方向に略平行に所定量だけ離間して配置される補強部１０５ｅとを備えている。
【００２２】
ライトガイド１０５を構成する複数の部位（入射部１０５ａ〜補強部１０５ｅ）は一体的に形成され、これによりライトガイド１０５は極めてコンパクトに構成される。このようにライトガイド１０５のコンパクト化を図ることで、ライトガイド装置のレイアウトに必要なスペースを効果的に減らし、スペース効率を向上することができる。
【００２３】
ここで、図４（ａ），（ｂ）に示す組立て時に入射部１０５ａが、メイン基板１０８上に乗り上がって光源１０９を破壊しないようにする必要がある。このために入射部１０５ａの下端１０５ｆが光軸方向と直交方向に張り出す、即ち図７に示すように鉛直方向でメイン基板１０８よりも高さＨだけ下方に位置する必要がある。この場合、仮に図６のように入射部１０５ａと出射部１０５ｂを繋ぐ光路部１０５ｄの幅（もしくは鉛直方向厚さ、以下同様である）Ｗ1が、鉛直方向で入射部１０５ａの幅Ｗ2と同じ幅を持ったとする。この場合、光路部１０５ｄの幅Ｗ1は、出射窓１０５ｃの幅Ｗ3よりもかなり広くなるため、そのままでは出射窓１０５ｃの発光効率が下がるという問題がある。
【００２４】
従って、出射窓１０５ｃでの発光効率を上げるために、光路部１０５ｄの鉛直方向の幅Ｗ1は出射窓１０５ｃと略同等である必要がある。一方で、入射部１０５ａと出射部１０５ｂを繋ぐ部分が、出射窓１０５ｃの幅Ｗ3と同等とすると、光路部１０５ｄのみを有する場合、入射部１０５ａ及び出射部１０５ｂに対して片持ち支持構造となる。このためにそのままでは特に鉛直方向の支持剛性が確保されず、剛性強度が弱くなる。ライトガイド１０５の鉛直方向の強度が弱くなると、衝撃がかかった際に、入射窓１０５ａの位置が光源１０９に対して鉛直方向にずれることで、出射窓１０５ｃの発光効率が下がる。
【００２５】
そこで、図７に示したように入射部１０５ａと出射部１０５ｂを繋ぐ光路部１０５ｄに対して、光軸方向Ｚに略平行に所定量Ｌだけ離間した補強部１０５ｅを設ける。このように入射部１０５ａと出射部１０５ｂとを補強部１０５ｅを介して繋げることで、光路部１０５ｄ自体と相俟って言わば両持ち支持構造とし、鉛直方向の強度が強くなる。
【００２６】
また、図７にライトガイド１０５の側面図、図８にライトガイドの上面図を示す。図７及び図８に示すように、出射窓１０５ｃと光源１０９とを結ぶ延長線上（実質的に光軸方向Ｚに対応する）に光路部１０５ｄが配置されることで出射窓１０５ｃの発光効率が向上する。なお、補強部１０５ｅには光源１０９からの光はほとんど導光しない。
【００２７】
上記のように光路部１０５ｄの鉛直方向の幅Ｗ1を出射窓１０５ｃと略同等にすることにより、その発光効率を向上させることができる。その際、光路部１０５ｄとの関係で補強部１０５ｅを好適に設けることで、発光効率を向上しつつ構造強度を有効に強化することができる。
【００２８】
また、図８に示すようにライトガイド１０５を所定方向、即ち上面から見た時、光路部１０５ｄの投影形状が、補強部１０５ｅと略同一に重なる。このような構成にすることで、スペース効率が良くなり、ライトガイド１０５の周辺要素の配置自由度が高くなる。
【００２９】
以上、本発明の好ましい実施形態について説明したが、本発明は、これらの実施形態に限定されず、その要旨の範囲内で種々の変形及び変更が可能である。
上記実施形態において光学機器としてビデオカメラの例で説明したが、デジタルスチルカメラ等の光学機器に対しても本発明は有効に適用可能である。
【符号の説明】
【００３０】
１００      ビデオカメラ
１０３      サイドカバー
１０５      ライトガイド
１０５ａ    入射部
１０５ｂ    出射部
１０５ｃ    出射窓
１０５ｄ    光路部
１０５ｅ    補強部
１０５ｆ    入射部の下端
１０８      メイン基板
１０９      光源
１１０      メイン板金
【図１】
2015118778.tif 000003
【図２】
2015118778.tif 000004
【図３】
2015118778.tif 000005
【図４】
2015118778.tif 000006
【図５】
2015118778.tif 000007
【図６】
2015118778.tif 000008
【図７】
2015118778.tif 000009
【図８】
2015118778.tif 000010